(57)【特許請求の範囲】
【請求項１】
被写体の光学像を電気信号に変換して画像信号を出力する撮像手段と、
動作モードを設定する設定手段と、
前記撮像手段を駆動する駆動手段と、
前記画像信号に所定の処理を施す画像信号処理手段と、
基本クロック信号を生成し出力する基本クロック生成手段と、
前記基本クロック信号に基づいて前記駆動手段及び前記画像信号処理手段に供給するタイミング信号を生成するタイミング信号生成手段と、
前記設定手段により設定された動作モードを検出し、検出した動作モードに対応した周波数の基本クロック信号を前記基本クロック生成手段が生成し出力するように制御するとともに、前記周波数の基本クロック信号に基づいて前記タイミング信号生成手段が生成した前記タイミング信号で前記画像信号処理手段にキャリブレーションを行わせるように制御する制御手段とを備え、
前記キャリブレーションでは、前記画像信号処理手段が有する増幅器の出力オフセット、及び前記画像信号処理手段が有するアナログデジタル変換器の入力オフセットのうち、少なくとも１つのオフセット値の調整を行うことを特徴とする撮像装置。
【請求項２】
前記設定手段により設定される動作モードは、連続撮影モードと、単撮影モードを含むことを特徴とする請求項１記載の撮像装置。
【請求項３】
前記設定手段により設定される動作モードは、画像を表示する表示手段を使用するモードと、前記表示手段を使用しないモードを含むことを特徴とする請求項１又は２記載の撮像装置。
【請求項４】
被写体の光学像を電気信号に変換して画像信号を出力する撮像手段と、前記撮像手段を駆動する駆動手段と、前記画像信号に所定の処理を施す画像信号処理手段と、基本クロック信号を生成し出力する基本クロック生成手段と、前記基本クロック信号に基づいて前記駆動手段及び前記画像信号処理手段に供給するタイミング信号を生成するタイミング信号生成手段とを有する撮像装置の制御方法であって、
設定された動作モードを検出し、検出した動作モードに対応した周波数の基本クロック信号を前記基本クロック生成手段が生成し出力するように制御するとともに、前記周波数の基本クロック信号に基づいて前記タイミング信号生成手段が生成した前記タイミング信号で前記画像信号処理手段にキャリブレーションを行わせるように制御し、
前記キャリブレーションでは、前記画像信号処理手段が有する増幅器の出力オフセット、及び前記画像信号処理手段が有するアナログデジタル変換器の入力オフセットのうち、少なくとも１つのオフセット値の調整を行うことを特徴とする撮像装置の制御方法。
【請求項５】
被写体の光学像を電気信号に変換して画像信号を出力する撮像手段と、前記撮像手段を駆動する駆動手段と、前記画像信号に所定の処理を施す画像信号処理手段と、基本クロック信号を生成し出力する基本クロック生成手段と、前記基本クロック信号に基づいて前記駆動手段及び前記画像信号処理手段に供給するタイミング信号を生成するタイミング信号生成手段とを有する撮像装置の制御方法をコンピュータに実行させるためのプログラムであって、
設定された動作モードを検出する検出ステップと、
前記検出ステップにて検出した動作モードに対応した周波数の基本クロック信号を前記基本クロック生成手段が生成し出力するように制御する第１の制御ステップと、
前記周波数の基本クロック信号に基づいて前記タイミング信号生成手段が生成した前記タイミング信号で前記画像信号処理手段にキャリブレーションを行わせるように制御する第２の制御ステップとをコンピュータに実行させ、
前記キャリブレーションでは、前記画像信号処理手段が有する増幅器の出力オフセット、及び前記画像信号処理手段が有するアナログデジタル変換器の入力オフセットのうち、少なくとも１つのオフセット値の調整を行うことを特徴とするプログラム。
【請求項６】
請求項５記載のプログラムを記録したことを特徴とするコンピュータ読み取り可能な記録媒体。
【発明の詳細な説明】
【技術分野】
【０００１】
本発明は、撮像装置及びその制御方法に関し、特に、ＣＣＤ等の固体撮像素子で撮像した静止画像や動画像を記録及び再生可能なデジタルカメラ等に用いて好適なものである。
【背景技術】
【０００２】
近年、固体メモリ素子を有するメモリカードを記録媒体として、ＣＣＤ等の固体撮像素子で撮像した静止画像や動画像を記録及び再生するデジタルカメラ等の撮像装置が盛んに開発され、市販されている。
【０００３】
図５は、撮像部に固体撮像素子であるＣＣＤセンサを用いたデジタルカメラにおける画像信号処理部の一般的な構成を示すブロック図である。
図５において、５０１はＣＣＤセンサ（不図示）に接続される相関２重サンプリング（以後、ＣＤＳ）回路、５０２は所望の増幅度に設定可能なプログラマブルゲインアンプ（以後、ＰＧＡ）である。また、５０３はアナログ−デジタル変換器（以後、ＡＤＣ）、５０４はＣＣＤセンサの出力信号中の黒信号レベルをＤＣ基準とするためのクランプ回路である。
【０００４】
ＣＣＤセンサの後段には、ＣＣＤ転送時に生じたリセットノイズ成分を除去するためのＣＤＳ回路５０１を有するのが一般的である。ＣＣＤセンサ内部では、受光素子により露光、蓄積された電荷が転送パルスによって１画素分づつ出力部のフローティングキャパシタに転送される。１画素の信号がフローティングキャパシタから出力バッファに与えられて電圧信号に変換され、１画素単位の画像信号が順次出力されるようになされている。前記フローティングキャパシタは、１画素の信号を出力する度にリセットパルスによりクリアされる。
【０００５】
このようにＣＣＤセンサの出力信号は、１画素毎に、フローティングキャパシタのリセット動作により発生するリセット成分と、リセットパルスの相関ノイズが重畳するフィードスルー部分と画像信号部分とからなる。前記ＣＤＳ回路５０１は、ＣＣＤセンサの出力信号のうち、フィードスルー部分の信号レベルと画像信号部分の信号レベルとの差分を求め、これによって相関ノイズ成分を画像信号から排除するノイズ除去回路である。
【０００６】
図６は、一般的なＣＤＳ回路の基本構成を示すブロック図である。
図６において、ＳＨＰはリセットレベルを保持するフィードスルー期間における信号をサンプルホールドするためのパルス信号であり、ＳＨＤは画像信号出力期間における信号をサンプルホールドするためのパルス信号である。
【０００７】
ＣＤＳ回路は、直列接続されたサンプルホールド回路６０１、６０２とサンプルホールド回路６０３で、前記パルス信号ＳＨＰ、ＳＨＤに従ってＣＣＤセンサの出力信号をサンプルホールドする。そして、差分増幅器６０４でサンプルホールド回路６０２、６０３の各出力の差分がとられるように構成されている。
【０００８】
図５に戻り、ＣＤＳ回路５０１の出力画像信号は、ＰＧＡ５０２でＡＤＣ５０３の入力レンジに合わせて所定の信号レベルに増幅された後に、ＡＤＣ５０３でデジタル信号に変換された後、さらに後段の画像データ生成部（不図示）に伝送される。画像データ生成部は、ホワイトバランス調整、γ補正、画素補間等の画像処理を行う。
【０００９】
クランプ回路５０４は、ＣＣＤセンサの出力信号中の黒信号レベルをＤＣ基準とすると同時に、ＣＣＤオフセット、ＰＧＡ５０２の出力オフセットやＡＤＣ５０３の入力オフセット等のＤＣオフセットを補償可能である。クランプ回路５０４は、稼動開始時のキャリブレーションにより、ゲイン毎のオフセットデータを予め取得し、例えば誤差情報テーブルとして保持しておく。そして、運用中は、設定ゲインに連動して前記誤差情報テーブルのデータにより補正を行うことで、高速なクランプ収束を実現している。
【００１０】
ここで、近年、デジタルカメラは、画像の高画質化や高精細化の市場ニーズを受けて、撮影に係る解像度や動作スピードが年々高まる傾向にある。ところが、このような撮像装置は、高速連写機能や電子ビューファインダ（以後、ＥＶＦ）機能、更には動画撮影機能を有する機種が多く、これらの機能を実現するには、ＣＣＤ駆動周波数を高くする必要がある。しかし、撮像系の消費電力は周波数に比例するため、ＣＣＤ駆動周波数を高くすると消費電力が増加し、撮影可能枚数が大幅に減少してしまう。
【００１１】
これに対して、連続撮像モードにおいては第１のクロック周波数に設定し、高速性が要求されない単撮像モードにおいては、消費電力の低減を図るために、第１のクロック周波数よりも低い第２のクロック周波数に設定するよう構成されたものがある。すなわち、撮像装置の動作モードに応じて、ＣＣＤ駆動周波数を可変するよう施したものがある（例えば、特許文献１参照。）。
【００１２】
【特許文献１】特開２００１−２６８４５３号公報
【発明の開示】
【発明が解決しようとする課題】
【００１３】
しかしながら、撮像装置において、ＣＣＤセンサ等の撮像手段の駆動周波数を可変する場合、以下に示すような問題がある。
上述した画像信号処理部が備えるＰＧＡやＡＤＣは、通常、周波数特性を有するので、ＰＧＡの出力オフセットやＡＤＣの入力オフセットの値は、動作周波数により異なる場合がある。そのため、特定の動作周波数で取得したオフセットデータの誤差情報テーブルを常に使用すると、撮像手段の駆動周波数を変更した場合のゲイン変更時に生ずる誤差量が大きくなり、クランプ収束に要する時間が増加してしまう。そこで、撮像手段の駆動周波数を変更する毎にキャリブレーションを行い、ゲイン毎のオフセットデータである誤差情報テーブルを更新する必要がある。
【００１４】
しかしながら、キャリブレーションの実行には所定の時間を費やすため、必要のないキャリブレーションを行うことは、撮像装置において起動や撮影許可までの時間が増加するばかりでなく、その間の電力を無駄に消費することとなる。ここで、従来の撮像装置において一般的に行われているように、画像信号処理部の稼動開始時のキャリブレーションを特定の周波数で行うと、撮像装置の動作モードによって、その動作モードに応じた駆動周波数で再度キャリブレーションを行う必要が生じる。すなわち、従来の撮像装置では、画像信号処理部の稼動開始時に特定の周波数に対応した不必要なキャリブレーションを行っているということになる。
【００１５】
本発明の目的は、撮像手段の駆動周波数を可変する撮像装置にて、起動時間の短縮及び消費電力の低減ができるようにすることである。
【課題を解決するための手段】
【００１６】
本発明に係る撮像装置は、被写体の光学像を電気信号に変換して画像信号を出力する撮像手段と、動作モードを設定する設定手段と、前記撮像手段を駆動する駆動手段と、前記画像信号に所定の処理を施す画像信号処理手段と、基本クロック信号を生成し出力する基本クロック生成手段と、前記基本クロック信号に基づいて前記駆動手段及び前記画像信号処理手段に供給するタイミング信号を生成するタイミング信号生成手段と、前記設定手段により設定された動作モードを検出し、検出した動作モードに対応した周波数の基本クロック信号を前記基本クロック生成手段が生成し出力するように制御するとともに、前記周波数の基本クロック信号に基づいて前記タイミング信号生成手段が生成した前記タイミング信号で前記画像信号処理手段にキャリブレーションを行わせるように制御する制御手段とを備え、前記キャリブレーションでは、前記画像信号処理手段が有する増幅器の出力オフセット、及び前記画像信号処理手段が有するアナログデジタル変換器の入力オフセットのうち、少なくとも１つのオフセット値の調整を行うことを特徴とする。
本発明に係る撮像装置の制御方法は、被写体の光学像を電気信号に変換して画像信号を出力する撮像手段と、前記撮像手段を駆動する駆動手段と、前記画像信号に所定の処理を施す画像信号処理手段と、基本クロック信号を生成し出力する基本クロック生成手段と、前記基本クロック信号に基づいて前記駆動手段及び前記画像信号処理手段に供給するタイミング信号を生成するタイミング信号生成手段とを有する撮像装置の制御方法であって、設定された動作モードを検出し、検出した動作モードに対応した周波数の基本クロック信号を前記基本クロック生成手段が生成し出力するように制御するとともに、前記周波数の基本クロック信号に基づいて前記タイミング信号生成手段が生成した前記タイミング信号で前記画像信号処理手段にキャリブレーションを行わせるように制御し、前記キャリブレーションでは、前記画像信号処理手段が有する増幅器の出力オフセット、及び前記画像信号処理手段が有するアナログデジタル変換器の入力オフセットのうち、少なくとも１つのオフセット値の調整を行うことを特徴とする。
本発明に係るプログラムは、被写体の光学像を電気信号に変換して画像信号を出力する撮像手段と、前記撮像手段を駆動する駆動手段と、前記画像信号に所定の処理を施す画像信号処理手段と、基本クロック信号を生成し出力する基本クロック生成手段と、前記基本クロック信号に基づいて前記駆動手段及び前記画像信号処理手段に供給するタイミング信号を生成するタイミング信号生成手段とを有する撮像装置の制御方法をコンピュータに実行させるためのプログラムであって、設定された動作モードを検出する検出ステップと、前記検出ステップにて検出した動作モードに対応した周波数の基本クロック信号を前記基本クロック生成手段が生成し出力するように制御する第１の制御ステップと、前記周波数の基本クロック信号に基づいて前記タイミング信号生成手段が生成した前記タイミング信号で前記画像信号処理手段にキャリブレーションを行わせるように制御する第２の制御ステップとをコンピュータに実行させ、前記キャリブレーションでは、前記画像信号処理手段が有する増幅器の出力オフセット、及び前記画像信号処理手段が有するアナログデジタル変換器の入力オフセットのうち、少なくとも１つのオフセット値の調整を行うことを特徴とする。
本発明に係るコンピュータ読み取り可能な記録媒体は、前記プログラムを記録したことを特徴とする。
【発明の効果】
【００１７】
本発明によれば、撮像装置の動作モードや使用者による設定状態等に基づいて撮像手段の駆動周波数を判断し、その判断により決定した駆動周波数と同じクロック周波数での画像信号処理手段のキャリブレーションを画像信号処理手段の稼動開始時に行う。これにより、画像信号処理手段で必要なキャリブレーションの回数を最小とすることができ、起動時間を短縮できるとともに、消費電力を低減することができる。
【発明を実施するための最良の形態】
【００１８】
以下、本発明の実施形態を図面に基づいて説明する。
なお、以下では本発明の実施形態による撮像装置としてデジタルカメラを一例に説明するが、これに限定されるものではなく、ビデオカメラを含む任意の撮像装置に適応可能であり、その他、本発明の要旨を逸脱しない範囲で、種々変形して実施することができる。
【００１９】
（第１の実施形態）
図１は、本発明の第１の実施形態による撮像装置の一例であるデジタルカメラの構成例を示すブロック図である。
【００２０】
図１において、１０１は被写体像を結像する撮像光学系である。１０２は撮像光学系１０１により結像された被写体像を電気信号に変換して出力する撮像部である。１０３は各信号を供給し撮像部１０２を駆動するための撮像駆動部である。１０４は撮像部１０２の出力画像信号を処理する画像信号処理部である。画像信号処理部１０４は、図５に示したのと同様に構成され、相関２重サンプリング（ＣＤＳ）回路、プログラマブルゲインアンプ（ＰＧＡ）、アナログ−デジタル変換器（ＡＤＣ）、及びクランプ回路を有する。
【００２１】
１０５は画像信号処理部１０４の出力であるデジタル画像信号に対して、ホワイトバランス調整、γ補正、画素補間等の画像処理を行う画像データ生成部である。１０６は画像データ生成部１０５より出力された画像データを一時的に蓄えるためのＤＲＡＭ等で構成されたフレームメモリ部である。１０７はフレームメモリ部１０６に格納された画像データをＪＰＥＧ等の圧縮手法により圧縮するデータ信号圧縮部である。データ信号圧縮部１０７での圧縮動作は、撮影時のレリーズ動作に伴って開始される。１０８はデータ信号圧縮部１０７にて圧縮された画像データを記憶するフラッシュメモリ等の記録メディア部である。
【００２２】
１０９はフレームメモリ部１０６に格納された画像データをＮＴＳＣやＰＡＬ信号に変換するＮＴＳＣ／ＰＡＬエンコーダ部である。１１０はＮＴＳＣ／ＰＡＬエンコーダ部１０９にてＮＴＳＣ又はＰＡＬ信号に変換された画像信号を表示する表示部（本実施形態では、電子ビューファインダとする。）である。１１１はデジタルカメラ（撮像装置）各部を制御するシステム制御部である。１１２はユーザがデジタルカメラに対する各種操作を行うための操作部であり、デジタルカメラの動作モードを設定するための操作部を含む。
【００２３】
１１３は撮像部１０２の駆動周波数の基準となる出力クロック信号を生成し出力する基本クロック生成部である。基本クロック生成部１１３は、システム制御部１１１の指令により、出力クロック信号の周波数を変更することができる。以下、出力クロック信号の周波数を、基本クロック周波数とも称す。１１４はシステム制御部１１１により定められた周波数で基本クロック生成部１１３から供給される出力クロック信号に基づいて、撮像駆動部１０３及び画像信号処理部１０４に供給するタイミング信号を生成するタイミング信号生成部である。
【００２４】
なお、電子ビューファインダ１１０には、操作部１１２での操作項目や現在のデジタルカメラの動作モードや状態等の情報も同時に表示可能であるとともに、駆動周波数変更時の表示も行うことができる。
【００２５】
ここで、システム制御部１１１は、操作部１１２で設定されたデジタルカメラの動作モードを検出することができる。システム制御部１１１は、動作モードの検出情報から撮像部１０２の駆動周波数を決定し、基本クロック生成部１１３に指令して動作モードに対応した周波数のクロック信号を出力させる。また、システム制御部１１１は、動作モードに対応した周波数のクロック信号を基本クロック生成部１１３に出力させると同時に、画像信号処理部１０４に対してキャリブレーション開始の指令を行う。
【００２６】
これにより、タイミング信号生成部１１４は、基本クロック生成部１１３からの出力クロック信号に基づき画像信号処理部１０４でのタイミング信号を生成する。したがって、画像信号処理部１０４は、操作部１１２で設定された動作モードに対応した周波数のタイミング信号で、キャリブレーションを行うことができる。
【００２７】
次に、動作について説明する。
図２は、第１の実施形態における撮像装置の動作を示すフローチャートである。
図２においては、第１の実施形態における撮像装置の一例であるデジタルカメラにて電源が投入されてから画像信号処理部のキャリブレーション実行までの手順の一例を示している。なお、画像信号処理部のキャリブレーション終了後の撮影動作及び再生動作等については、従来と同様であるので説明を省略する。
【００２８】
ここで、第１の実施形態におけるデジタルカメラは、基本クロック周波数を、連続撮像モードでは第１のクロック周波数ｆ1に設定し、単撮像モードでは第２のクロック周波数ｆ2に設定するように構成されているものとする。なお、第２のクロック周波数ｆ2は、第１のクロック周波数ｆ1よりも低い周波数である。
【００２９】
まず、デジタルカメラ電源がＯＮ（オン）され電源が投入されると（Ｓ２０１）、その後、システム制御部１１１は、操作部１１２で設定されたデジタルカメラの動作モードを検出する（Ｓ２０２）。次に、システム制御部１１１は、動作モードの検出結果（検出情報）に応じて、基本クロック周波数を決定する。例えば、動作モードとして連続撮像モードが選択されている場合には基本クロック周波数をｆ1にする旨決定し、単撮像モードが選択されている場合には基本クロック周波数をｆ2にする旨を決定する（Ｓ２０３）。
【００３０】
次に、システム制御部１１１は、決定した基本クロック周波数のクロック信号を出力するよう基本クロック生成部１１３に指令して所望周波数のクロック信号を出力させる（Ｓ２０４又はＳ２０５）。また、システム制御部１１１は、画像信号処理部１０４に対してキャリブレーション開始の指令を行い、画像信号処理部１０４に所望の周波数でのキャリブレーションを行わせる（Ｓ２０６）。ここで、画像信号処理部１０４のキャリブレーションでは、画像信号処理部１０４内のＰＧＡ（増幅器）の出力オフセット及びＡＤＣ（アナログ−デジタル変換器の入力オフセットの少なくとも一方の値の調整を行う。
【００３１】
そして、画像信号処理部１０４のキャリブレーションが終了すると（Ｓ２０７）、システム制御部１１１は、引き続きデジタルカメラ各部に必要な各種設定を行い（不図示）、撮影の開始許可を行う。
【００３２】
以上、第１の実施形態によれば、動作モードに応じて撮像部１０２の駆動周波数を可変するデジタルカメラにて、設定された動作モードを検出し、画像信号処理部１０４の稼動開始時に検出された動作モードに応じた周波数でのキャリブレーションを行う。これにより、従来のような動作モードによらない特定周波数での不必要なキャリブレーションが行われることなく、画像信号処理部１０４の稼動開始時に、画像信号処理部１０４で必要なキャリブレーションの回数を最小とすることができる。したがって、従来と比較して、起動や撮影許可までの時間を短縮できるとともに、消費電力を低減することができる。
【００３３】
なお、上述した説明では、デジタルカメラの電源の投入により、画像信号処理部１０４も稼動を開始する例を示した。しかし、これに限定されず、デジタルカメラの電源投入とは異なるタイミングで、システム制御部１１１の制御等により画像信号処理部１０４が稼動を開始する場合にも適応できる。例えば、デジタルカメラの電源が投入されても再生モードである場合には、実質的に画像信号処理部１０４を稼動させず、撮影モードに移行したときに、その状態を解除して画像信号処理部１０４の稼動を開始するよう施されているような場合でも適用可能である。なお、実質的に画像信号処理部１０４を稼動させない方法としては、画像信号処理部１０４に電源を供給しない、あるいは電源を供給するが、リセット状態を継続する、制御クロックを供給しない等の方法がある。言い換えれば、画像信号処理部１０４への電源供給開始、リセット状態解除、制御クロック入力等に応じて、画像信号処理部１０４の稼動を開始させることが可能である。
【００３４】
また、デジタルカメラの動作モードに応じた撮像部１０２の駆動周波数が、２種類の周波数ｆ1又はｆ2に可変する場合を説明したが、これは一例であり、動作モードに応じて撮像部１０２の駆動周波数が３種類以上の周波数に可変する場合でも適用可能である。
【００３５】
（第２の実施形態）
次に、本発明の第２の実施形態について説明する。
図３は、第２の実施形態による撮像装置の一例であるデジタルカメラの構成例を示すブロック図である。この図３において、図１に示したブロック等と同一の機能を有するブロック等には同一の符号を付し、重複する説明は省略する。
【００３６】
図３において、１１５は使用者によって操作部１１２で設定されたデジタルカメラの状態を記憶するメモリ部である。メモリ部１１５は、例えば、デジタルカメラの主電源がＯＦＦ（オフ）されてもバックアップ電源でその情報を保持するメモリ、又は電源が供給されなくてもその情報を保持する不揮発メモリで構成される。１１６は撮影対象を視認するための光学ビューファインダ（以後、ＯＶＦ）である。本実施形態では、電子ビューファインダ（以後、ＥＶＦ）１１０は、操作部１１２で使用者によりＯＮ／ＯＦＦの設定ができるよう構成されている。
【００３７】
第２の実施形態におけるデジタルカメラは、撮像部１０２の駆動周波数に係る基本クロック周波数を、例えば撮像記録時には第３のクロック周波数ｆ3に設定するものとする。また、例えば、撮像前のＥＶＦ表示時には、消費電力の低減を図るために、基本クロック周波数を第３のクロック周波数よりも低い第４のクロック周波数ｆ4に設定するものとする。なお、基本クロック周波数（駆動周波数）を低くしても、例えば撮像部（例えばＣＣＤ）１０２を水平加算動作させることで、実質的なフレームレートは落とさずにＥＶＦ表示を行うことは可能である。また、使用者によって操作部１１２で設定されたＥＶＦ１１０のＯＮ／ＯＦＦに係る設定情報は、メモリ部１１５に記憶され、デジタルカメラの電源をＯＦＦしても保持できる。
【００３８】
ここで、第２の実施形態におけるデジタルカメラは、撮影対象をＥＶＦ１１０で視認した後に撮像記録する場合には、画像信号処理部１０４の駆動開始時に、第４のクロック周波数ｆ4で画像信号処理部１０４のキャリブレーションを行う必要がある。
一方、撮影対象をＯＶＦ１１６で視認した後に撮像記録する場合には、画像信号処理部１０４の駆動開始時に、撮像記録時の駆動周波数である第３のクロック周波数ｆ3で画像信号処理部１０４のキャリブレーションを行うだけで良い。この場合には、第４のクロック周波数ｆ4で画像信号処理部１０４のキャリブレーションを行う必要がない。
【００３９】
図４は、第２の実施形態における撮像装置の動作を示すフローチャートである。
図４においては、第２の実施形態における撮像装置の一例であるデジタルカメラにて電源が投入されてから画像信号処理部のキャリブレーション実行までの手順の一例を示しており、その他の動作については、従来と同様であるので説明を省略する。
【００４０】
デジタルカメラ電源がＯＮされ電源が投入されると（Ｓ４０１）、その後、システム制御部１１１は、メモリ部１１５に記憶されたデジタルカメラの設定情報を検出する（Ｓ４０２）。次に、システム制御部１１１は、検出した設定情報に応じて、基本クロック周波数を決定する。例えば、使用者により設定されている設定情報がＥＶＦ１１０をＯＦＦとするものである場合には基本クロック周波数をｆ3にする旨決定し、ＥＶＦ１１０をＯＮとするものである場合には基本クロック周波数をｆ4にする旨決定する（Ｓ４０３）。
【００４１】
次に、システム制御部１１１は、決定した基本クロック周波数のクロック信号を出力するよう基本クロック生成部１１３に指令して所望周波数のクロック信号を出力させる（Ｓ４０４又はＳ４０５）。また、システム制御部１１１は、画像信号処理部１０４に対してキャリブレーション開始の指令を行い、画像信号処理部１０４に所望の周波数でのキャリブレーションを行わせる（Ｓ４０６）。ここで、画像信号処理部１０４のキャリブレーションでは、画像信号処理部１０４内のＰＧＡ（増幅器）の出力オフセット及びＡＤＣ（アナログ−デジタル変換器の入力オフセットの少なくとも一方の値の調整を行う。
【００４２】
そして、画像信号処理部１０４のキャリブレーションが終了すると（Ｓ４０７）、システム制御部１１１は、引き続きデジタルカメラ各部に必要な各種設定を行い（不図示）、撮影の開始許可を行う。
【００４３】
第２の実施形態によれば、使用者の設定に応じて撮像部１０２の駆動周波数を可変するデジタルカメラにて、設定された状態（又はそれを示す設定情報）を検出し、画像信号処理部１０４の稼動開始時に検出された設定に応じた周波数でキャリブレーションを行う。これにより、画像信号処理部１０４での不必要なキャリブレーションを行わず、画像信号処理部１０４の稼動開始時に、画像信号処理部１０４で必要なキャリブレーションの回数を最小とすることができる。したがって、従来と比較して、起動や撮影許可までの時間を短縮できるとともに、消費電力を低減することができる。
【００４４】
なお、上述した説明では、デジタルカメラの電源の投入により、画像信号処理部１０４も稼動を開始する例を示した。しかし、これに限定されず、デジタルカメラの電源投入とは異なるタイミングで、システム制御部１１１の制御等により画像信号処理部１０４が稼動を開始する場合にも適応できる。例えば、デジタルカメラの電源が投入されてもＥＶＦがＯＦＦの設定では、実質的に画像信号処理部１０４を稼動させず、撮像記録動作に移行したときに、その状態を解除して画像信号処理部１０４の稼動を開始するよう施されているような場合でも適用可能である。なお、実質的に画像信号処理部１０４を稼動させない方法としては、画像信号処理部１０４に電源を供給しない、あるいは電源を供給するが、リセット状態を継続する、制御クロックを供給しない等の方法がある。言い換えれば、画像信号処理部１０４への電源供給開始、リセット状態解除、制御クロック入力等に応じて、画像信号処理部１０４の稼動を開始させることが可能である。
【００４５】
また、設定に応じた撮像部１０２の駆動周波数が、２種類の周波数ｆ3又はｆ4に可変する場合を説明したが、これは一例であり、設定に応じて撮像部１０２の駆動周波数が３種類以上の周波数に可変する場合でも適用可能である。
【００４６】
なお、上述した第１の実施形態と第２の実施形態とを組み合わせても良い。すなわち、画像信号処理部１０４の稼動開始時に、設定された動作モード及び使用者により設定された状態に応じて基本クロック周波数を決定し、その周波数で画像信号処理部１０４のキャリブレーションを行うようにしても良い。
【００４７】
（本発明の他の実施形態）
上述した実施形態の機能を実現するべく各種のデバイスを動作させるように、該各種デバイスと接続された装置又はシステム内のコンピュータ（ＣＰＵ又はＭＰＵ）に対し、前記実施形態の機能を実現するためのソフトウェアのプログラムを供給する。そして、そのシステム又は装置のコンピュータに格納されたプログラムに従って前記各種デバイスを動作させることによって実施したものも、本発明の範疇に含まれる。
また、この場合、前記ソフトウェアのプログラム自体が上述した実施形態の機能を実現することになり、そのプログラム自体は本発明を構成する。また、そのプログラムをコンピュータに供給するための手段、例えばかかるプログラムを格納した記録媒体は本発明を構成する。かかるプログラムを記憶する記録媒体としては、例えばフレキシブルディスク、ハードディスク、光ディスク、光磁気ディスク、ＣＤ−ＲＯＭ、磁気テープ、不揮発性のメモリカード、ＲＯＭ等を用いることができる。
また、供給されたプログラムがコンピュータにて稼働しているオペレーティングシステム又は他のアプリケーションソフト等と共同して上述の実施形態の機能が実現される場合にもかかるプログラムは本発明の実施形態に含まれることは言うまでもない。
さらに、供給されたプログラムがコンピュータに係る機能拡張ボードや機能拡張ユニットに備わるメモリに格納された後、そのプログラムの指示に基づいてその機能拡張ボード等に備わるＣＰＵ等が実際の処理の一部又は全部を行う。その処理によって上述した実施形態の機能が実現される場合にも本発明に含まれることは言うまでもない。
【００４８】
なお、前記実施形態は、何れも本発明を実施するにあたっての具体化のほんの一例を示したものに過ぎず、これらによって本発明の技術的範囲が限定的に解釈されてはならないものである。すなわち、本発明はその技術思想、またはその主要な特徴から逸脱することなく、様々な形で実施することができる。
【図面の簡単な説明】
【００４９】
【図１】本発明の第１の実施形態による撮像装置の構成例を示すブロック図である。
【図２】第１の実施形態における撮像装置の動作を示すフローチャートである。
【図３】本発明の第２の実施形態による撮像装置の構成例を示すブロック図である。
【図４】第２の実施形態における撮像装置の動作を示すフローチャートである。
【図５】従来のデジタルカメラにおける画像信号処理部の構成を示すブロック図である。
【図６】ＣＤＳ回路の基本構成を示すブロック図である。
【符号の説明】
【００５０】
１０２  撮像部
１０３  撮像駆動部
１０４  画像信号処理部
１１１  システム制御部
１１２  操作部
１１３  基本クロック生成部
１１４  タイミング信号生成部
１１５  メモリ部
【図１】
0004834470.tif 000002
【図２】
0004834470.tif 000003
【図３】
0004834470.tif 000004
【図４】
0004834470.tif 000005
【図５】
0004834470.tif 000006
【図６】
0004834470.tif 000007